(57)【特許請求の範囲】
【請求項１】
長手方向が略水平方向へ延在する揺動台（６）と、
前記揺動台（６）上にその長手方向に沿って順にそれぞれ支持された、前記揺動台（６）が前記長手方向と直交する方向に略水平の場合に被介護者（Ｐ）の頭部を支持する頭部床板（５０）、前記揺動台（６）が前記長手方向と直交する方向に略水平の場合に被介護者（Ｐ）の胴部を支持する胴部床板（７，８）および、前記揺動台（６）が前記長手方向と直交する方向に略水平の場合に被介護者（Ｐ）の脚部を支持する脚部床板（１１）と、
前記各床板の両側端部にそれぞれ立設された、前記揺動台（６）が前記長手方向と直交する方向に横向きに傾斜している場合に被介護者（Ｐ）の頭部を支持する頭部側板（５４，５６）、前記揺動台（６）が前記長手方向と直交する方向に横向きに傾斜している場合に被介護者（Ｐ）の胴部を支持する胴部側板（９，１０）および、前記揺動台（６）が前記長手方向と直交する方向に横向きに傾斜している場合に被介護者（Ｐ）の脚部を支持する脚部側板（１２）と、
ネジ機構を用いて前記胴部側板（９，１０）同士の間隔を調節する胴部側板間隔調節機構（４５〜４９）と、
を有し、前記頭部側板（５４，５６）同士の間隔および前記脚部側板（１２）同士の間隔が、前記胴部側板（９，１０）同士の間隔よりも狭くされているベッド（１）と、
前記ベッド（１）を前記揺動台（６）の長手方向に延在する固定された水平軸線（４）周りに横向に揺動させて前記揺動台（６）をその長手方向と直交する方向に略水平状態と横向き傾斜状態との間で揺動させる揺動機構（１３〜１５，１７，１８，２０〜２３，２９，３１，６２，９４，９６，９８，１００，１０２）と、
を具えてなる揺動式介護ベッド装置。
【請求項２】
前記胴部側板（９，１０）の両外側に位置して前記ベッド（１）に揺動可能に連結され、前記胴部側板（９，１０）と前記頭部側板（５４，５６）との間の、前記揺動台（６）の長手方向の隙間から外に出された被介護者（Ｐ）の腕部を支持する縁板（３６）と、
前記縁板（３６）を前記ベッド（１）の揺動に伴って平行移動させて略水平の一定姿勢に維持する縁板姿勢維持機構（３７〜４４）と、
をさらに具えている、請求項１に記載の揺動式介護ベッド装置。
【請求項３】
前記縁板姿勢維持機構は、縁板（３６）の一端部に連結されたパラレルリンク（４３）と、そのパラレルリンクの他端部の水平移動を案内する水平移動案内機構（３８〜４２）とを用いたものである、請求項２に記載の揺動式介護ベッド装置。
【請求項４】
前記縁板姿勢維持機構は、前記縁板（３６）に結合された支持棒（８０）の垂直移動を案内する垂直移動案内機構（８２，８４）と、その垂直移動案内機構の水平移動を案内する水平移動案内機構（３８〜４１）とを用いたものである、請求項２に記載の揺動式介護ベッド装置。
【請求項５】
前記ベッド（１）は、ネジ機構を用いて前記頭部側板（５４，５６）の間隔を調節する頭部側板間隔調節機構（５２，５３，５５，５７〜５９）をさらに有している、請求項１から４までの何れか１項に記載の揺動式介護ベッド装置。
【請求項６】
前記揺動機構は、スイッチで操作可能な電気制御式駆動装置（１３〜１５，１７，１８，２０〜２３，２９，３１，６２）を有するものである、請求項１から５までの何れか１項に記載の揺動式介護ベッド装置。
【請求項７】
前記揺動機構は、減速機構（９４，９６）を介して人力を入力される人力式駆動装置（９４，９６，９８，１００，１０２）を有するものである、請求項１から６までの何れか１項に記載の揺動式介護ベッド装置。
【発明の詳細な説明】
【技術分野】
【０００１】
本発明は、被介護者の床擦れを容易に防止し得る揺動式介護ベッド装置に関するものである。
【背景技術】
【０００２】
本発明者は、２０年程前からほとんど仰向けに寝ることができず、常に左向か右向の横向にならないと寝ることができなくなった。その後、６年程前にベッドに寝ていて、そのベッドを常に左右に傾ければ寝返りを打つのと同じではないかとふと思い付き、早速、試作品を作って試してみたところ、いろいろ試作錯誤をした結果成功にこぎつけた。
【０００３】
当初は、ベッドは８０度ないし９０度傾けなければ効果がないと思い込んでいたが、実験を繰り返す内に、ベッドは３０度前後傾ければ、寝返りを打ったのと同じ効果があることが分かった。また、ベッドが左右に傾いて元に戻るまでの時間は、大体５分程度がちょうど良いことが分かった。
本発明者が病院で聞いたところ、寝たきり患者の床擦れを防ぐためには、２，３人の看護師が３時間置きに寝返りをさせていると話していた。
本発明は、このような介護者の負担をなくすことができ、しかも寝たきり患者等の被介護者の床擦れ防止に非常に役に立つものである。
【０００４】
ところで、被介護者に寝返りを打たせる介護用ベッド装置としては従来、例えば、特許文献１にて開示されたものが知られている。
この介護用ベッド装置は、マットが敷かれた昇降ベッドの左右部分の下にそれぞれ昇降シリンダが設けられており、左右の昇降シリンダを同時に上昇させることで昇降ベッドを水平に持ち上げてその下に便器を挿入できるようにし、また左右の昇降シリンダを片方だけ上昇させることで昇降ベッドを横向に傾斜させて被介護者に寝返りを打たせるというものである。
【先行技術文献】
【特許文献】
【０００５】
【特許文献１】特開２００９−０８２３８８号公報
【発明の概要】
【発明が解決しようとする課題】
【０００６】
しかしながら、上記特許公報に記載の既知の介護用ベッド装置には被介護者が寝たままでシャワーや入浴をできるよう昇降ベッドの周囲に衝立が設けられているものの、それらの衝立は被介護者が入浴中に溺れないように低いものとされているので、昇降ベッドを傾斜させた時に、それらの衝立では被介護者の支えにならず、被介護者は昇降ベッドの端までずれ落ちてしまい、昇降ベッドから落下する恐怖を覚えることになるという問題がある。
それゆえ本発明の目的は、被介護者が床擦れを防止するために安心してベッドを傾斜させることができる介護用ベッド装置を提供することにある。
【課題を解決するための手段】
【０００７】
本発明者は、上記の従来技術が抱えている上述した問題点を克服することができ、かつ上記目的を確実に実現することができる技術について鋭意研究を行った結果、下記の要旨構成に係る本発明に想到した。
【０００８】
即ち、本発明の揺動式介護ベッド装置は、
長手方向が略水平方向へ延在する揺動台と、
前記揺動台上にその長手方向に沿って順にそれぞれ支持された、前記揺動台が前記長手方向と直交する方向に略水平の場合に被介護者の頭部を支持する頭部床板、前記揺動台が前記長手方向と直交する方向に略水平の場合に被介護者の胴部を支持する胴部床板および、前記揺動台が前記長手方向と直交する方向に略水平の場合に被介護者の脚部を支持する脚部床板と、
前記各床板の両側端部にそれぞれ立設された、前記揺動台が前記長手方向と直交する方向に横向きに傾斜している場合に被介護者の頭部を支持する頭部側板、前記揺動台が前記長手方向と直交する方向に横向きに傾斜している場合に被介護者の胴部を支持する胴部側板および、前記揺動台が前記長手方向と直交する方向に横向きに傾斜している場合に被介護者の脚部を支持する脚部側板と、
ネジ機構を用いて前記胴部側板同士の間隔を調節する胴部側板間隔調節機構と、
を有し、前記頭部側板同士の間隔および前記脚部側板同士の間隔が、前記胴部側板同士の間隔よりも狭くされているベッドと、
前記ベッドを前記揺動台の長手方向に延在する固定された水平軸線周りに横向に揺動させて前記揺動台をその長手方向と直交する方向に略水平状態と横向き傾斜状態との間で揺動させる揺動機構と、
を具えてなるものである。
【発明の効果】
【０００９】
本発明の揺動式介護ベッド装置によれば、ベッドが有する、長手方向が略水平方向へ延在する揺動台上にその長手方向に沿って順にそれぞれ支持された頭部床板と胴部床板と脚部床板とが、前記揺動台が前記長手方向と直交する方向（幅方向）に略水平の場合に、ベッドに仰向けに寝た被介護者の少なくとも頭部と胴部と脚部とをそれぞれ支持し、その状態で揺動機構が、ベッドを揺動台の長手方向に延在する固定された水平軸線周りに横向に揺動させて揺動台をその長手方向と直交する方向に略水平状態と横向き傾斜状態との間で揺動させ、頭部床板と胴部床板と脚部床板とを左右の横向に例えば３０度程度まで傾斜させるので、被介護者が寝返りを打ったのと同じように被介護者の被圧迫部位を反対側へ移す効果があり、これにより被介護者の床擦れを有効に防止することができる。もちろん被介護者は、ベッドの傾斜を助けにして実際に寝返りを打っても良い。
【００１０】
しかも本発明の揺動式介護ベッド装置によれば、ベッドを揺動させて揺動台をその長手方向と直交する方向（幅方向）に横向きに傾斜させ、頭部床板と胴部床板と脚部床板とを横向に傾斜させた際に、頭部床板の両側端部に立設された頭部側板同士の間隔および脚部床板の両側端部に立設された脚部側板同士の間隔が、胴部床板の両側端部に立設された胴部側板同士の間隔よりも狭くされていて、床板の両側端部に立設された頭部側板がベッドに仰向けに寝た被介護者の頭部を支持し、胴部床板の両側端部に立設された胴部側板がベッドに仰向けに寝た被介護者の胴部を支持し、脚部床板の両側端部に立設された脚部側板がベッドに仰向けに寝た被介護者の脚部を支持し、特に重量のある胴部を支持する胴部側板の間隔を、ネジ機構を用いた胴部側板間隔調節機構によって胴部の幅に合うように調節できるので、被介護者はベッドからずれ落ちることがなく、それゆえ被介護者は、ベッドから落下する恐怖を覚えることなく安心してベッドを傾斜させることができる。
【００１１】
なお、本発明の揺動式介護ベッド装置においては、前記胴部側板の両外側に位置して前記ベッドに揺動可能に連結され、前記胴部側板と前記頭部側板との間の、前記揺動台（６）の長手方向の隙間から外に出された被介護者の腕部を支持する縁板をさらに具えていると、ベッドを横向に傾斜させた際に、その縁板が腕部を支持するので好ましい。
また、本発明の揺動式介護ベッド装置においては、前記縁板を前記ベッドの揺動に伴って平行移動させて略水平の一定姿勢に維持する縁板姿勢維持機構をさらに具えていると、頭部床板と胴部床板と脚部床板とを横向に傾斜させた際に、その縁板が腕部をより確実に支持するので好ましい。
【００１２】
ここで、前記縁板姿勢維持機構は、縁板の一端部に連結されたパラレルリンクと、そのパラレルリンクの他端部の水平移動を案内する水平移動案内機構とを用いたものであっても、また縁板に結合された支持棒の垂直移動を案内する垂直移動案内機構と、その垂直移動案内機構の水平移動を案内する水平移動案内機構とを用いたものであっても、何れも縁板をベッドの揺動に伴って平行移動させて略水平な一定姿勢に維持することができるので好ましい。
さらに、本発明の揺動式介護ベッド装置においては、前記ベッドが、ネジ機構を用いて前記頭部側板の間隔を調節する頭部側板間隔調節機構をさらに有していると、頭部側板の間隔を頭部側板間隔調節機構によってベッドの傾斜時の頭部の高さに合うように調節できるので好ましい。
【００１３】
そして、本発明の揺動式介護ベッド装置においては、前記揺動機構は、スイッチで操作可能な電気制御式駆動装置を有するものであると、被介護者の手元にスイッチを設置しておくことで、被介護者が床擦れになりそうと感じたときに自分でスイッチを入れてベッドを傾斜させ、ベッドの傾斜角度が被介護者の好きな角度になった時に自分でスイッチを切ってベッドを静止させることができるので好ましい。
【００１４】
また、本発明の揺動式介護ベッド装置においては、前記揺動機構は、減速機構を介して人力を入力される人力式駆動装置を有するものであると、介護ベッドのコスト引き下げおよび省エネルギーのために好ましい。
【００１５】
さらに、本発明の揺動式介護ベッド装置においては、前記揺動機構は、スイッチで操作可能な電気制御式駆動装置により駆動されるとともに、切り替えにより減速機構を介して人力でも駆動されるものであると、停電等の非常時のために好ましい。
【図面の簡単な説明】
【００１６】
【図１】本発明の揺動式介護ベッド装置の一実施例を一部省略して示す平面図である。
【図２】上記実施例の揺動式介護ベッド装置を一部断面で示す正面図である。
【図３】上記実施例の揺動式介護ベッド装置の胴部側板間隔調節機構および頭部側板間隔調節機構を切り出して示す平面図である。
【図４】上記実施例の揺動式介護ベッド装置の胴部側板間隔調節機構および縁板姿勢維持機構を切り出して示す側面図である。
【図５】上記実施例の揺動式介護ベッド装置をベッドが傾斜した状態で示す正面図である。
【図６】本発明の揺動式介護ベッド装置の他の一実施例を示す正面図である。
【図７】本発明の揺動式介護ベッド装置のさらに他の一実施例を示す正面図である。
【図８】本発明の揺動式介護ベッド装置のさらに他の一実施例を示す正面図である。
【図９】本発明の揺動式介護ベッド装置のさらに他の一実施例をベッドが傾斜した状態で示す正面図である。
【図１０】上記実施例の揺動式介護ベッド装置の縁板姿勢維持機構を切り出して示す側面図である。
【図１１】本発明の揺動式介護ベッド装置のさらに他の一実施例を一部断面で示す正面図である。
【発明を実施するための形態】
【００１７】
以下、この発明の実施形態につき、図面に基づく実施例によって詳細に説明する。ここに、図１は、本発明の揺動式介護ベッド装置の一実施例を一部省略して示す平面図、図２は、上記実施例の揺動式介護ベッド装置を一部断面で示す、被介護者の足裏側から見た正面図、図３は、上記実施例の揺動式介護ベッド装置の胴部側板間隔調節機構および頭部側板間隔調節機構を切り出して示す平面図、図４は、上記実施例の揺動式介護ベッド装置の胴部側板間隔調節機構および縁板姿勢維持機構を切り出して示す側面図、そして図５は、上記実施例の揺動式介護ベッド装置をベッドが傾斜した状態で示す正面図であり、図中、符号１は概略水平方向へ延在するベッド、２は矩形の枠状の基台、３は基台２の両短辺上に立設した門型の支柱（手前側のものは図示せず）、４はベッド１を支持するようにベッド１の延在方向両端部に設けた支持軸、そして５は支持軸４を回動自在に支持することでベッド１をその長手方向に延在する水平軸線周りに左右横向に揺動可能に支持するように支柱３の上端部に設けた軸受をそれぞれ示す。また、符号Ｐは被介護者を示す。
【００１８】
ここにおけるベッド１は、図示しない複数本の梁で連結されて梯子状の揺動台を構成する２本の桁６を有しており、２本の桁６上には二枚の胴部床板の一方である胴部床板７を摺動可能に渡している。８は胴部床板７の上に摺動可能に重ねたもう一枚の胴部床板である。９はベッド１を被介護者Ｐの足裏側から頭の方向へ見た場合に、胴部床板７の左側端部に、上方に向けて突設した胴部側板であり、該胴部側板９は胴部床板７より短く、枕側の方が一部開けた状態に形成してある。また、前記胴部床板８の右側端部にも胴部床板８より短い胴部側板１０が上方に向けて突設されており、この胴部側板１０も同様に枕側の方が一部開けた状態に形成してある。その理由は、胴部側板９，１０が胴部床板７，８と同じ長さで形成されていると被介護者Ｐが箱の中に入るような状態になって非常に窮屈な思いをすることになるためであり、本実施例では上記のような問題を解決するために胴部側板９，１０を短くし、胴部側板９，１０と後述する頭部側板５４，５６との間に隙間を十分に開けて、その隙間から被介護者Ｐが腕を外に出せるようにしている。
【００１９】
また、胴部床板７より脚部側の部分の２本の桁６上に脚部床板１１を渡して固定し、脚部床板１１の両側端部に脚部側板１２を上方に向けて突設している。
さらに本実施例では、ベッド１の後述する頭部床板５０と上記脚部床板１１との下面または上記梁に複数本のボルト１３を下向きに突設して、該複数のボルト１３に、頭部床板５０と上記脚部床板１１との下方にそれぞれ位置する２個の調節材１４を、ナット１５を用いて上下から固定しており、これらの調節材１４の後述する連結軸３０の軸心は、ベッド１の両端に設けた２本の支持軸４を結ぶ直線の下方に位置するよう構成している。
【００２０】
また、これらの調節材１４と概略対峙する側方位置に当たる基台２上に２個の台座１６を設置し、該台座１６には軸受１７を固定してあり、この軸受１７は、各クランク１８の一端部を固定した軸２０を回転自在に支持している。
【００２１】
さらに本実施例では、クランク１８を回転させる軸２０の中間部にスプロケット２１を固定し、このスプロケット２１と、基台２上に設けたウォームギヤ機構式の減速機２２の出力軸に固定したスプロケット２３とにチェーン２４を巻き掛け、その減速機２２の入力軸に電気制御式駆動装置としての図示しない電動モータの出力軸を結合して、その電動モータを作動および停止させるスイッチを持つ図示しないコントローラを、ベッド１内の被介護者Ｐあるいは付添の介護者の手の届くところに配置する。
【００２２】
各調節材１４には、ロッド２９を構成する２枚の板材を調節材１４の両側から挟むように当て、ロッド２９の一端部を連結軸３０で調節材１４に連結し、ロッド２９の他端部に軸孔を開け、ロッド２９の２枚の板材でターンバックル３１の一端部を挟んで、そのロッド２９に開けた孔にターンバックル３１の一端部をボルト３２を用いて固定している。そして、ターンバックル３１の他端部をクランク１８の他端部に軸３３で連結して、揺動機構を構成している。
【００２３】
このように構成した揺動機構により、被介護者Ｐまたはその指示を受けた付添の介護者がコントローラのスイッチを操作して電動モータの出力軸を回転させると、その出力軸の回転が作動音の静かなウォームギヤ機構式の減速機２２で適宜減速されて、減速機２２からクランク１８に伝えられ、これによりクランク１８が連続的に回動して、ターンバックル３１を介して調節材１４を押し引きし、クランク１８が垂直位置から左右に概略９０度回動した死点位置では、ベッド１を左右横向に任意の角度、例えば約３０度まで傾斜させる。
【００２４】
なお、調節材１４をベッド１の下面に複数本設けたボルト１３で高さ調節可能に設けたのは、被介護者の病状によって、ベッド１を大きく傾けると被介護者が苦痛を訴えるような場合は、ナット１５を回して調節材１４をベッド１から遠くに離せばベッド１の最大傾きを小さくでき、またベッド１を大きく傾けた方が良いと云う被介護者には、複数のボルト１３にねじ込んだナット１５を回して調節材１４をベッド１に近づければベッド１の最大傾きを大きくできるからである。
【００２５】
また、ターンバックル３１を設け、このターンバックル３１を回して、調節材１４をクランク１８に近づけたり、またクランク１８から離したりするように構成した理由は、被介護者の病状によって、左にベッド１が大きく傾いては病状に差し障りがあるような場合には、調節材１４をクランク１８に近づけてベッド１の左への最大傾きを小さくし、また、ベッド１が右に大きく傾いては病状に良くないと云う場合は、調節材１４をクランク１８から遠ざけてベッド１の右への最大傾きを小さくすることができるからである。
【００２６】
上記電動モータは、基本的には一方向のみ回転するもので足りるが、スイッチの操作で正逆回転するものでもよく、その場合には、傾斜角度が大きすぎると感じたときに、電動モータを逆転させることで直ぐに傾斜角度を減らすことができる。
本実施例ではまた、胴部側板９及び胴部側板１０の外側面に、複数の蝶番３５を使って被介護者の腕部を載せる縁板３６を揺動自在に設けている。
【００２７】
そして本実施例ではさらに、ベッド１がどんな角度に傾いても、縁板３６が常に略水平の一定傾斜角度を保つために、縁板３６の外側の下面の任意の個所に軸受３７を複数個突設し、他方で、基台２に複数本のレール３８を渡し、該レール３８の上下面上を転動する複数個のローラ３９を、板４０に軸４１を用いてそれぞれ軸着して水平移動案内機構を構成し、ローラ３９を両側から挟むように設けた板４０の中程に上方に向けて軸受４２を突設して、２本のロッド４３の両端部を、上記複数個の軸受３７の各々と軸受４２とに軸４４を用いて連結し、縁板姿勢維持機構を構成している。
【００２８】
上記のような縁板姿勢維持機構により、ベッド１がどの方向に傾いても両側の縁板３６は常に一定の角度を保つことができる。この構造は大型トラックや大型バスのワイパーを参考にしたものであり、２本のロッド４３は、パラレルリンクを構成している。
本実施例では上記のように、ベッド１がどの方向に傾いても縁板３６はほぼ水平な状態を保つから、被介護者は、縁板３６に腕を載せていれば大変楽である。
【００２９】
さらに本実施例では、胴部床板７の左端部に突設した胴部側板９と、その胴部床板７上に重ねた胴部床板８の右端部に突設した胴部側板１０との間隔を常に被介護者の体格に合う様に調整するために、２本の桁６の中央部分に一定の間隔を開けて、左側が左ねじで右側が右ねじのように左右でねじの向きを違えて形成されたねじ軸４５を２本貫通させて設けており、２本のねじ軸４５の、２本の桁６の間の部分は、ねじ軸４５が横にずれないように、桁６の軸孔より太く形成している。
さらに、胴部床板７及び胴部床板８の裏面には、ねじ軸４５のねじに螺合するナット４６を設けてあり、また２本のねじ軸４５の一端部には、スプロケット４７を設けている。２枚のスプロケット４７にはチェーン４８が巻き掛けてあり、２本のねじ軸４５が連動して回転する構造としている。そして２本のうちの１本のねじ軸４５の他端部にはハンドル４９を設けて、胴部側板間隔調節機構を構成している。
【００３０】
本実施例は上記のように胴部側板間隔調節機構を構成したことにより、ハンドル４９を手回しして胴部側板９と胴部側板１０との間隔を手軽に調整することができ、これは被介護者にとっては非常に大事なことである。
【００３１】
本実施例ではさらに、２本の桁６上に頭部床板５０を渡して固定して、該頭部床板５０の中程に軸受５１を設け、各々左側が左ねじで右側が右ねじのように左右でねじの向きを違えて形成された２本のねじ軸５２を、その軸受５１に回動自在に貫通させ、他方、頭部床板５０の左側部の上に、上方を少し左側に傾け且つ下端部に上記ねじ軸５２にねじ込むナット５３を固定した頭部側板５４を設け、また、頭部床板５０の右側部の上にも、上方を少し右側に傾け且つ下端部に上記ねじ軸５２にねじ込むナット５５を固定した頭部側板５６を設け、２本のねじ軸５２の一端部にスプロケット５７を固定し、２枚のスプロケット５７にチェーン５８を巻き掛けて、２本のねじ軸５２が連動して回転する構造としている。そして２本のうちの１本のねじ軸５２の他端部にはハンドル５９を設けて、頭部側板間隔調節機構を構成している。
【００３２】
本来、枕は健康な人でも安眠するためには重要なものであり、まして病人にとっては尚更重要なものであるところ、本実施例の介護ベッド装置は、ベッド１が横に傾く様に構成されていることから、ベッド１が傾くと左の頭部側板５４および右の頭部側板５６は枕の高さになるので、ハンドル５９を手回しして頭部側板５４および頭部側板５６の間隔ひいてはベッド１の傾斜時の高さを調節できるということは、被介護者が頭部を適度な高さのそれら頭部側板５４，５６に支持されて安眠するために非常に重要なことである。また、頭部側板５４および頭部側板５６の間隔を調節できるということは、被介護者の視界の圧迫感をなくすことにもなる。
【００３３】
なお、軸受５１上には枕受板７０が設けてあり、その枕受板７０上から頭部側板５４，５６上にかけて図示しない枕が設けられている。そして、胴部床板７，８上から胴部側板９，１０にかけておよび、脚部床板１１上から脚部側板１２にかけても、図示しないクッションマットが設けられて、被介護者の快適性を確保している。
【００３４】
従って、本実施例の揺動式介護ベッド装置によれば、ベッド１が有する、略水平方向へ延在する揺動台上にその延在方向に沿って順にそれぞれ支持された頭部床板５０と胴部床板７，８と脚部床板１１とが、ベッド１に仰向けに寝た被介護者Ｐの頭部と胴部と脚部とをそれぞれ支持した状態で、揺動機構が、ベッド１をその長手方向に延在する水平軸線周りに横向に揺動させて頭部床板５０と胴部床板７，８と脚部床板１１とを左右の横向に例えば最大３０度程度まで傾斜させるので、被介護者Ｐが寝返りを打ったのと同じように被介護者Ｐの被圧迫部位を反対側へ移す効果があり、これにより被介護者Ｐの床擦れを有効に防止することができる。もちろん被介護者Ｐは、ベッド１の傾斜を助けにして実際に寝返りを打っても良い。
【００３５】
しかも本実施例の揺動式介護ベッド装置によれば、ベッド１を揺動させて頭部床板５０と胴部床板７，８と脚部床板１１とを横向に傾斜させた際に、頭部床板５０の両側端部に立設された頭部側板５４，５６がベッド１に仰向けに寝た被介護者Ｐの頭部を支持し、胴部床板７，８の両側端部に立設された胴部側板９，１０がベッド１に仰向けに寝た被介護者Ｐの胴部を支持し、脚部床板１１の両側端部に立設された脚部側板１２がベッド１に仰向けに寝た被介護者Ｐの脚部を支持し、特に重量のある胴部を支持する胴部側板９，１０の間隔を、胴部側板間隔調節機構によって胴部の幅に合うように調節できるので、被介護者Ｐはベッド１からずれ落ちることがなく、それゆえ被介護者Ｐは、ベッド１から落下する恐怖を覚えることなく安心してベッド１を傾斜させることができる。
【００３６】
図６は、本発明の揺動式介護ベッド装置の他の一実施例を示す正面図であり、図中、先の実施例と同様の部分はそれと同一の符号にて示す。
本実施例の揺動式介護ベッド装置では、台座１６には複数本のボルト１３が上方に向けて突設してあり、それら複数本のボルト１３には台座２６をナット１５で上下から固定し、該台座２６には軸受２７を固定している。
【００３７】
そしてこの軸受２７には、もう１つクランク１８の一端を側面に固定したスプロケット１９が軸２０で軸支されており、他方、前記軸受１７にもクランク１８の一端を側面に固定したスプロケット１９が軸２０で軸支されている。なお、両スプロケット１９の歯数の比率は１対１であり、両スプロケット１９はチェーン２８を用いて連結してある。
さらに、調節材１４に連結したロッド２９はＴ字形をなしており、このＴ字型のロッド２９の両腕部は、互いに平行に配置した２本のターンバックル３１を介して２本のクランク１８に連結している。
そして上記電動モータは減速機２２を介して下側の軸２０を回転駆動し、その回転をチェーン２８が上側の軸２０に伝達する。
本実施例によれば、先の実施例と同様の効果に加えて、軸受１７，２７、軸２０およびクランク１８の負荷を減らして、それらの部材が意図しない損傷を受けるのを防止することができる。
【００３８】
図７は、本発明の揺動式介護ベッド装置のさらに他の一実施例を示す正面図であり、図中、先の実施例と同様の部分はそれと同一の符号にて示す。本実施例の揺動式介護ベッド装置は、クランク１８を使用してベッド１を揺動させる機構に替えて、油圧シリンダを用いてベッド１を揺動させるものである。
【００３９】
図中、符号６０は基台２に突設した台座であり、２本並立している。該台座６０には上下２本のねじ軸６１を水平に設け、これらの台座６０の間に、中程に油圧シリンダ６２よりも少し大き目の穴が開いた枠６３を、その枠６３に各々螺合した上記２本のねじ軸６１によって支持している。
さらに２本のねじ軸６１の一端にはそれぞれスプロケット６４を固定し、これらのスプロケット６４は、チェーン６５を用いて連結し、連動するようにしている。
【００４０】
また、２本のうちの１本のねじ軸６１の先端部にはハンドル６６を固定しており、ここにおける油圧シリンダ６２は例えば複動型のもので、油圧パイプ６７を介して図示しない電動油圧ポンプから油圧を供給されて、調節材１４に連結されたシリンダロッドを進退移動させ、軸６８は、油圧シリンダ６２を揺動可能に枠６３に取り付けている。
本実施例によっても、上記電動油圧ポンプの作動を被介護者Ｐが手元のスイッチで操作することで、油圧シリンダ６２のシリンダロッドを進出または後退させて、ベッド１を任意の角度に揺動させることができる。
【００４１】
また本実施例で上記のように、ハンドル６６を手回しして台座６０に上下に設けたねじ軸６１を回転させて、油圧シリンダ６２を調節材１４に対し近づけたり離したりするように構成した理由も、先の実施例と同様、被介護者Ｐの病状によって、左にベッド１が大きく傾いては病状に差し障りがあるような場合には、油圧シリンダ６２を調節材１４から離して、ベッド１の左への傾きを小さくし、また、ベッド１が右に大きく傾いては病状に良くないと云う場合には、油圧シリンダ６２を調節材１４に近づけるためである。
【００４２】
図８は、本発明の揺動式介護ベッド装置のさらに他の一実施例を示す正面図であり、図中、先の実施例と同様の部分はそれと同一の符号にて示す。本実施例では、先の実施例と同様の効果に加えて、油圧シリンダ６２を上下方向へ延在させることで、基台２を、場所をとらないコンパクトなものにしている。
【００４３】
図９は、本発明の揺動式介護ベッド装置のさらに他の一実施例をベッドが傾斜した状態で示す正面図、また図１０は、上記実施例の揺動式介護ベッド装置の縁板姿勢維持機構を切り出して示す側面図であり、図中、先の実施例と同様の部分はそれと同一の符号にて示す。本実施例では縁板姿勢維持機構を構成するためにパラレルリンクの替わりに垂直移動案内機構を用いている。
【００４４】
すなわち本実施例では、胴部側板９及び胴部側板１０の外側面に、複数の蝶番３５を使って被介護者の腕部を載せる縁板３６を揺動自在に設け、それらの縁板３６の外側の下面の任意の個所に支持棒８０を複数本突設し、他方で、基台２に複数本のレール３８を渡し、該レール３８の上下面上を転動する複数個のローラ３９を、板４０に軸４１を用いてそれぞれ軸着し、ローラ３９を両側から挟むように設けた板４０の中程に上方に向けて支持棒受８２を突設して、各支持棒８０の下部を、その支持棒受８２に上下方向に整列させて設けた複数対のローラ８４で挟んで上下方向へ直線移動すなわち垂直移動するように案内し、縁板姿勢維持機構を構成している。
【００４５】
本実施例では、先の実施例と同様の効果に加えて、上記のような縁板姿勢維持機構により、ベッド１がどの方向に傾いても両側の縁板３６が常に一定の角度を保つことができ、複数対のローラ８４は、垂直移動案内機構を構成している。
【００４６】
図１１は、本発明の揺動式介護ベッド装置のさらに他の一実施例を一部断面で示す正面図であり、図中、先の実施例と同様の部分はそれと同一の符号にて示す。本実施例では、揺動機構の駆動装置を、電気制御のものに替えて人力駆動のものとしている。
【００４７】
すなわち本実施例では、基台２の一方の短辺上に立設した門型の支柱３の側部にギヤボックス９０をボルト９２で固定し、そのギヤボックス９０内にウォーム９４とウォームギヤ９６とを互いに噛合するように配置してそれぞれ軸支することで減速機構を構成し、ウォームギヤ９６の支持軸にギヤボックス９０外で固定した図示しないスプロケットと、ベッド１の延在方向一端部に設けた支持軸４に固定したスプロケット９８とをチェーン１００で連結し、他方で、ウォーム９４の支持軸にギヤボックス９０外でハンドル１０２を設けて、揺動機構の駆動装置を構成している。
【００４８】
本実施例によれば、先の実施例と同様の効果に加えて、介護ベッドのコスト引き下げおよび省エネルギーをもたらすことができる。また減速機構としてウォームギヤ機構を用いているので、ハンドル１０２をストッパ等で特に固定しなくても、任意の傾斜角度でベッド１を静止させることができる。
【００４９】
以上、図示例に基づき説明したが、本発明は上述の例に限定されるものでなく請求の範囲の記載範囲内で適宜変更し得るものであり、例えば、揺動機構は、電動モータあるいは油圧シリンダでベッド１を揺動させる電気制御式駆動装置と、減速機構を介して人力でベッド１を揺動させる人力式駆動装置とを両方具え、それらをカップリング等で切替接続できるよう構成しても良い。
【００５０】
また揺動機構は、油圧シリンダに替えて、コンプレッサ等からの空気圧で作動する空圧シリンダを電気制御式駆動装置に用いても良く、この場合、スイッチはコンプレッサの電動モータの作動を制御するものでも良く、また空気圧回路に設けた開閉弁の作動を制御するものでも良い。
【００５１】
さらにコントローラに、電気制御式駆動装置を作動させるスイッチを制御するタイマーあるいはマイクロコンピュータを設けて、ベッド１を水平状態から右または左へ傾斜させる動作の開始時間や終了時間、さらにはそれらの傾斜状態および水平状態の保持時間を設定できるようにしても良い。
また電気制御式駆動装置あるいは人力式駆動装置の減速機構は、通常の歯車組あるいはベルト式伝動機構とその回転を解除可能に掛止するストッパとを具えるものでも良い。そして、各間隔調節機構のネジ機構は、モータで駆動するようにしても良い。
【００５２】
さらに人力式駆動装置の減速機構は、ハンドルに替えてまたは加えて、例えば自転車のように足踏式のペダルで駆動するようにしても良い。
さらに縁板は、胴部側板に固定してベッド１と一体に揺動させても良く、被介護者が両腕部を胴部側板の内側に入れるのであれば省略しても良い。
さらにベッド１の傾斜時にベッド１上からの被介護者の落下をより確実に防止するために、両胴部側板の上端間等に渡す安全ベルトを設けても良く、あるいは両胴部側板の上端部を少し内側へ湾曲させても良い。
さらにベッド１上の被介護者の排便処理や排尿処理を容易にするために、胴部側板の基部等に開口部を設けても良く、胴部側板を蝶番で可倒式にしたり、着脱可能にしたりしても良い。
【産業上の利用可能性】
【００５３】
かくして本発明の揺動式介護ベッド装置によれば、ベッドが有する、長手方向が略水平方向へ延在する揺動台上にその長手方向に沿って順にそれぞれ支持された頭部床板と胴部床板と脚部床板とが、前記揺動台が前記長手方向と直交する方向に略水平の場合に、ベッドに仰向けに寝た被介護者の少なくとも頭部と胴部と脚部とをそれぞれ支持し、その状態で揺動機構が、ベッドを揺動台の長手方向に延在する固定された水平軸線周りに横向に揺動させて揺動台をその長手方向と直交する方向に略水平状態と横向き傾斜状態との間で揺動させ、頭部床板と胴部床板と脚部床板とを左右の横向に例えば３０度程度まで傾斜させるので、被介護者が寝返りを打ったのと同じように被介護者の被圧迫部位を反対側へ移す効果があり、これにより被介護者の床擦れを有効に防止することができる。もちろん被介護者は、ベッドの傾斜を助けにして実際に寝返りを打っても良い。
【００５４】
しかも本発明の揺動式介護ベッド装置によれば、ベッドを揺動させて揺動台をその長手方向と直交する方向に横向きに傾斜させ、頭部床板と胴部床板と脚部床板とを横向に傾斜させた際に、頭部床板の両側端部に立設された頭部側板同士の間隔および脚部床板の両側端部に立設された脚部側板同士の間隔が、胴部床板の両側端部に立設された胴部側板同士の間隔よりも狭くされていて、床板の両側端部に立設された頭部側板がベッドに仰向けに寝た被介護者の頭部を支持し、胴部床板の両側端部に立設された胴部側板がベッドに仰向けに寝た被介護者の胴部を支持し、脚部床板の両側端部に立設された脚部側板がベッドに仰向けに寝た被介護者の脚部を支持し、特に重量のある胴部を支持する胴部側板の間隔を、ネジ機構を用いた胴部側板間隔調節機構によって胴部の幅に合うように調節できるので、被介護者はベッドからずれ落ちることがなく、それゆえ被介護者は、ベッドから落下する恐怖を覚えることなく安心してベッドを傾斜させることができる。
【符号の説明】
【００５５】
１  ベッド
２  基台
３  支柱
４  支持軸
５  軸受
６  桁
７，８  胴部床板
９，１０  胴部側板
１１  脚部床板
１２  脚部側板
１３，３２  ボルト
１４  調節材
１５  ナット
１６  台座
１７  軸受
１８  クランク
１９，２１，２３  スプロケット
２０，３０  軸
２２  減速機
２４  チェーン
２６  台座
２７  軸受
２８  チェーン
２９  ロッド
３０  連結軸
３１  ターンバックル
３３，４１，４４  軸
３５  蝶番
３６  縁板
３７，４２  軸受
３８  レール
３９  ローラ
４０  板
４３  ロッド
４５  ねじ軸
４６  ナット
４７  スプロケット
４８  チェーン
４９  ハンドル
５０  頭部床板
５１  軸受
５２  ねじ軸
５３，５５  ナット
５４，５６  頭部側板
５７  スプロケット
５８  チェーン
５９  ハンドル
６０  台座
６１  ねじ軸
６２  油圧シリンダ
６３  枠
６４  スプロケット
６５  チェーン
６６  ハンドル
６７  油圧パイプ
６８  軸
７０  枕受板
８０  支持棒
８２  支持棒受
８４  ローラ
９０  ギヤボックス
９２  ボルト
９４  ウォーム
９６  ウォームギヤ
９８  スプロケット
１００  チェーン
１０２  ハンドル
Ｐ  被介護者
【要約】      （修正有）【課題】被介護者が床擦れを防止するために安心してベッドを傾斜させることができる介護用ベッド装置を提供する。【解決手段】略水平方向へ延在する揺動台と、揺動台上にその延在方向に沿って順にそれぞれ支持された、被介護者の頭部を支持する頭部床板５０、被介護者の胴部を支持する胴部床板７、８および、被介護者の脚部を支持する脚部床板１２と、各床板の両側端部にそれぞれ立設された、被介護者の頭部を支持する頭部側板５４、５６、被介護者の胴部を支持する胴部側板９、１０および、被介護者の脚部を支持する脚部側板１２と、胴部側板９、１０の間隔を調節する胴部側板間隔調節機構と、を有するベッド１と、ベッド１をその長手方向に延在する水平軸線周りに横向に揺動させる揺動機構と、を具えた揺動式介護ベッド装置である。【選択図】図１【図１】
0004746153.tif 000002
【図２】
0004746153.tif 000003
【図３】
0004746153.tif 000004
【図４】
0004746153.tif 000005
【図５】
0004746153.tif 000006
【図６】
0004746153.tif 000007
【図７】
0004746153.tif 000008
【図８】
0004746153.tif 000009
【図９】
0004746153.tif 000010
【図１０】
0004746153.tif 000011
【図１１】
0004746153.tif 000012